(57)【要約】【課題】  一つの装置で転動動作と滑り動作を行うことで免震作用と制震作用にも優れ、しかも簡単な構造であらゆる方向の揺れに対応でき、免震機能を阻害することのない構造の免震装置を提供する。【解決手段】  上部構造物１に固定され内面が凹状の曲面部分２ａが形成された上側部材２と、基礎部材１に支持され内面側４ａが中央部が高く周辺部が低いテーパ状の平面に形成された下側部材４と、前記上側部材２と前記下側部材４との間に介在する上下が対称的な凸状の曲面部分５ａを有する転動部材５と、が備えられた免震装置であって、前記上側部材４の内面は、前記曲面部分４ａと前記曲面部分４ａに滑らかに接続する平板部分４ｂとから形成されており、前記転動部材５は、全体形状が略円盤状に形成されており、曲面に形成された中央部５ａと、中央部５ａに滑らかに接続された平板面部５ｃと垂直面が形成された周辺部５ｃを有する構造とした。【選択図】        図１
2006283958.tif 000002
【特許請求の範囲】
【請求項１】
上部構造物に固定され内面が凹状の曲面部分が形成された上側部材と、基礎部材に支持され内面側が平面に形成された下側部材と、前記上側部材と前記下側部材との間に介在する上下が対称的な凸状の曲面部分を有する転動部材と、が備えられたことを特徴とする免震装置。
【請求項２】
上部構造物に固定され内面が凹状の曲面部分が形成された上側部材と、基礎部材に支持され内面側が中央部が高く周辺部が低いテーパ状の平面に形成された下側部材と、前記上側部材と前記下側部材との間に介在する上下が対称的な凸状の曲面部分を有する転動部材と、が備えられた免震装置であって、
前記転動部材は、全体形状が略円盤状に形成されており、曲面に形成された中央部と、垂直面が形成された周辺部を有することを特徴とする免震装置。
【請求項３】
上部構造物に固定され内面が凹状の曲面部分が形成された上側部材と、基礎部材に支持され内面側が中央部が高く周辺部が低いテーパ状の平面に形成された下側部材と、前記上側部材と前記下側部材との間に介在する上下が対称的な凸状の曲面部分を有する転動部材と、が備えられた免震装置であって、
前記上側部材の内面は、前記曲面部分と前記曲面部分に滑らかに接続する平板面部分とから形成されており、
前記転動部材は、全体形状が略円盤状に形成されており、曲面に形成された中央部と、前記中央部に滑らかに接続する平板面部と、垂直面が形成された周辺部を有することを特徴とする免震装置。
【請求項４】
上部構造物に固定され内面が凹状の曲面部分が形成された上側部材と、基礎部材に支持され内面側が中央部が高く周辺部が低いテーパ状の平面に形成された下側部材と、前記上側部材と前記下側部材との間に介在する球状の転動部材と、が備えられたことを特徴とする免震装置。
【請求項６】
上部構造物に固定され内面が凹状の曲面部分が形成された上側部材と、基礎部材に支持され内面側が中央部が高く周辺部が低いテーパ状の平面に形成された下側部材と、前記上側部材と前記下側部材との間に介在する球状の転動部材と、が備えられた免震装置であって、
前記上側部材の内面は、前記曲面部分と前記曲面部分に滑らかに接続する平板面部分とから形成されていることを特徴とする免震装置。
【発明の詳細な説明】
【技術分野】
【０００１】  本発明は、構築物と基礎部材の間に介装着され、構築物を地震から保護する免震装置に関する。
【背景技術】
【０００２】  近年、建物や橋など構造部を地震等の震動から保護するために免震装置が積極的に使用されるようになってきた。この免震装置は、ゴムやスプリングを介して建造物を支承することにより、これらのゴムやスプリングの弾性力によって震動を吸収するものがほとんどであった。しかし、ゴムやスプリングは比較的劣化が速いので、長期間使用されることが前提の建造物に使用する免震装置としては、必ずしも適当ではなかった。また、大きな荷重を支承するにはかなり大型化してしまうと共に限度があり、この大きな荷重を分散して支承するするために多数の免震装置が必要となっていた。【０００３】  そこで、この問題を解決する手段として、特開平１０−６１２５０号公報に示すような免震装置があった。この免震装置は、一方向から見て左右対称で中心部が最も深く且つ外側の勾配が大きい断面形状を有する凹状面を備えた支持部材２個を凹状面を向かい合わせにして上下に配置し、上記視方向に沿って水平に配置される１本の円柱状ローラを両凹状面の間に介在させた状態で重ねることにより耐震ユニットを構成し、この耐震ユニットをローラの軸が直交する向きに上下に２段に重ねて配置したものである。
【特許文献１】  特開平１０−６１２５０号公報
【発明の開示】
【発明が解決しようとする課題】
【０００４】  しかしながら、上述した従来の免震装置は、ユニット全体の構造や支持部材および転動部材であるローラの形状からして、地震の震動に対する応答性は優れて免震機能を発揮するが、応答性が良過ぎて制震作用が不足し、そのために外部に制震作用のためのブレーキ機構や緩衝装置を取り付けなければならないという問題が発生していた。【０００５】  また、横揺れ方向に対しても、一つの耐震ユニットは、ローラの軸が直交する方向の横揺れに対して効果があるので、ローラの軸方向の揺れに対しては、ローラの軸が直交する向きに上下に２段に重ねて配置しなければならず、構造が複雑になると共にコストもかかるという問題もあった。【０００６】  さらに、上述の免震装置は、建物の基礎部分などに設置されるため、免震装置に土や土砂などが入り易く、下側に配置された支持部材は凹状面を有しているので、構造上この凹状面の中央部に堆積し易く、ローラの動きを悪くすることがあった。特に、メッキ液槽に使用されて場合には、図８に示すように、メッキ液１１がこぼれてこの凹状面１４ａに溜まってしまい、メッキ液はローラｌ５の表面や支持部材１４の凹状面１４を腐食させてしまうので、錆付いてしまい、ローラ１５の動作を悪くしてしまい免震機能を果たさなくなってしまうことがあった。そして、極端な場合はローラ１５が支持部材１４の凹状面１４ａにくっ付いてしまい免震装置が使い物にならなくしてしまうこともあった。【０００７】  本発明は上述した従来の問題点に鑑みなされたもので、一つの装置で転動動作と滑り動作を行うことで免震作用と制震作用にも優れ、しかも簡単な構造であらゆる方向の揺れに対応でき、免震機能を阻害することのない構造の免震装置を提供するものである。
【課題を解決するための手段】
【０００８】  本発明は、上部構造物に固定され内面が凹状の曲面部分が形成された上側部材と、基礎部材に支持され内面側が平面に形成された下側部材と、前記上側部材と前記下側部材との間に介在する上下が対称的な凸状の曲面部分を有する転動部材と、が備えられたことを特徴とするものである。【０００９】  また、本発明は、上部構造物に固定され内面が凹状の曲面部分が形成された上側部材と、基礎部材に支持され内面側が中央部が高く周辺部が低いテーパ状の平面に形成された下側部材と、前記上側部材と前記下側部材との間に介在する上下が対称的な凸状の曲面部分を有する転動部材と、が備えられた免震装置であって、前記転動部材は、全体形状が略円盤状に形成されており、曲面に形成された中央部と、垂直面が形成された周辺部を有することを特徴としている。【００１０】  また、本発明は、上部構造物に固定され内面が凹状の曲面部分が形成された上側部材と、基礎部材に支持され内面側が中央部が高く周辺部が低いテーパ状の平面に形成された下側部材と、前記上側部材と前記下側部材との間に介在する上下が対称的な凸状の曲面部分を有する転動部材と、が備えられた免震装置であって、前記上側部材の内面は、前記曲面部分と前記曲面部分に滑らかに接続する平板面部分とから形成されており、前記転動部材は、全体形状が略円盤状に形成されており、曲面に形成された中央部と、前記中央部に滑らかに接続する平板面部と、垂直面が形成された周辺部を有することを特徴としている。【００１１】  また、本発明は、上部構造物に固定され内面が凹状の曲面部分が形成された上側部材と、基礎部材に支持され内面側が中央部が高く周辺部が低いテーパ状の平面に形成された下側部材と、前記上側部材と前記下側部材との間に介在する球状の転動部材と、が備えられたことを特徴としている。【００１２】  さらに、本発明は、上部構造物に固定され内面が凹状の曲面部分が形成された上側部材と、基礎部材に支持され内面側が中央部が高く周辺部が低いテーパ状の平面に形成された下側部材と、前記上側部材と前記下側部材との間に介在する球状の転動部材と、が備えられた免震装置であって、前記上側部材の内面は、前記曲面部分と前記曲面部分に滑らかに接続する平板面部分とから形成されていることを特徴とするものである。
【発明の効果】
【００１３】  上述のように構成された免震装置は、上部構造物に固定され内面が凹状の曲面部分が形成された上側部材と、基礎部材に支持され内面が平面に形成された下側部材と、前記上側部材と前記下側部材との間に介在する上下が対称的な凸状の曲面部分を有する転動部材とを備えた免震装置であって、前記転動部材は、全体形状が略円盤状に形成されており、曲面に形成された中央部と、前記曲面に滑らかに接続する平板面が形成された周辺部を有することにより、転動動作と滑り動作を兼ね備えて地震のエネルギーを効果的に吸収できるので、建物は勿論のこと橋などのようにスパンの長い構造物に対しても簡単な構造であらゆる方向の揺れに対応できるものである。【００１４】  また、本発明の免震装置は下側部材が平面に形成されているので、免震装置に入り込んだゴミや土砂、或いはメッキ液などが下側部材の内面に溜まることなく外側に排除されるので、前記転動部材との接触面は清浄な状態が維持され、前記転動部材の転動動作と滑り動作が効率良く発揮されるものである。
【発明を実施するための最良の形態】
【００１７】  本発明に係る免震装置を実施するための最良の形態を図に基づいて説明する。
図１は本発明に係る免震装置の構造を示す断面図、図２は図１の免震装置に使用する転動部材を示す斜視図、図３は図１の免震装置における転動動作を説明する断面図、図４は図１の免震装置における滑り動作を説明する断面図、図５は図１の免震装置におけるテーパの効果を説明する断面図、図６は本発明に係る免震装置の実施例を示す断面図、図７は本発明に係る免震装置の実施例を示す断面図である。【００１８】  本発明の免震モジュールＡは、図１または図２に示すように、上部に建物やメッキの浴槽などの構造物１に固定され内部が凹状の曲面２ａが形成された上側部材２と、基礎部材３に支持され内部が直線に形成された下側部材４と、前記上側部材２と前記下側部材４との間に介在する転動部材５とを有する免震装置であって、前記転動部材５は、全体形状は略円盤形状をしており、中央部５ａの断面が真円または楕円の円周の一部を形成する曲面５ａに形成され、周辺部はこの曲面５ａに滑らかに接続する平板面部５ｂに形成されており、周辺部５ｃは垂直に切断された垂直面となっている。【００１９】  また、この免震装置Ａは、前記上側部材２の前記転動部材５との当接面は曲面２ａに形成されており、周辺部２ｂはこの曲面２ａと滑らかに接続する直線の平板面２ｂに形成されている。そして、下側部材４は、前記転動部材５の当接面は平板面４ａに形成されており、中央部が僅かなから高く周辺部が低いテーパ状に形成されている。このテーパ状の平板面４ａは免震装置Ａ内に侵入した水や土砂、或いはメッキ液などが排出し易いようにするためである。【００２０】  また、上側部材２や下側部材４は鉄系の金属材料で構成される。これらの部材を鉄系の金属材料で構成する理由は、免震装置の耐久性を向上させるためである。従って、上側部材２、下側部材４、転動部材５、は鉄系の金属材料に限定されるものではなく、例えばセラミック材料やアルミニウム合金などの剛性の高い種々の材料を使用することができる。また、転動部材５と上側部材２および下側部材４の当接面は、動作を滑らかにするためコーテング処理を行うことができる。【００２１】  このように構成された免震装置Ａは、初期状態においては、図１に示すように、転動部材５と前記上側部材２がそれぞれ曲面５ａと曲面２ａの中心である第１当接面Ｐ１で当接し、転動部材５と下側部材４はそれぞれ曲面５ａと平面４ａの中心である第２当接面Ｐ２で当接している。従って、第１当接面Ｐ１の垂線位置と第２当接面Ｐ２での接触状態は点接触となる。【００２２】  この状態より免震装置Ａは、例えば、図３に示すように、下側部材４が図中右方向へ移動した場合は、下側部材４と第２当接面Ｐ２で当接している転動部材５に伝達されるので、転動部材５は曲面５ａの範囲内で反時計廻り方向に転動する。この転動により転動部材５と下側部材４の第２当接面はＰ２′に移動する。また、転動部材５と第１当接面Ｐ１で当接している上側部材２も相対的に図中左方向に移動することになり、転動部材５と上側部材２の第１当接面はＰ１′に移る。この転動部材５が転動することにより、地震のエネルギーを吸収するものである。【００２３】  さらに、揺れが大きくなると、図４に示すように、転動部材５と上側部材２および下側部材４の当接面は曲面５ａの範囲を超えて平板面５ｂに移る。すなわち、転動部材５は直線状に形成された周辺部５ｂが上側部材２の平板面２ｂおよび下側部材４の平板面２ｂと当接するようになるので、点接触から面接触になる。すると、転動部材５は転動することができなくなり、そのまま滑り動作をするようになる。この滑り動作は転動部材１０と上側部材２および下側部材４の間に摩擦抵抗を発生するので、地震の揺れに対する抵抗力となり、制振力を発揮するものである。【００２４】  上述のように免震装置Ａは、転動動作だけでなく滑り動作も行うことにより、地震のエネルギーを効果的に吸収できるのものである。この免震装置Ａは転動部材５は円盤状に形成されているので、上側部材２および下側部材４との当接面は平面に形成されているので、この免震装置Ａが１組で左右方向だけでなく、前後方向の揺れに対しても効果を発揮するものである。【００２５】  さらに、この免震装置Ａは、下側部材４の当接面は平面に形成されており、図５に示すように、中央部が僅かに高く周辺が低いテーパ状に形成されているので、例えば、この免震装置Ａに水や土や土砂、或いはメッキ液１１などが進入しても排出し易くなっており、中央部まで進入しないので、メッキ液１１が転動動部材や下側部材４の中央部を腐食させることがなくなり、従来のように、転動動部材５の動作を悪くしたり、転動動部材５と下側部材４が錆付いて免震機能が働かなることを防止できるものである。【００２６】  次に、図６に示す免震装置Ｂは、本発明に係る免震装置の実施例を示すものである。この免震装置Ｂは、上部構造物１に固定される上側部材２と、下部構造物３に固定される下側部材４と、前記上側部材２と前記下側部材４との間に介装された転動部材６とから構成されており、この転動部材６は、鋼材などの金属体から球体に形成されたものである。【００２７】  この免震装置Ｂは、前述の免震装置Ａと同様に、転動部材６の転動動作により、地震のエネルギーを効果的に吸収できるのものである。この免震装置Ｂは転動部材６は球状に形成されているので、上側部材２および下側部材４との当接面は平面に形成されているので、この免震装置Ｂが１組で左右方向だけでなく、前後方向の揺れに対しても効果を発揮するものである。【００２８】  さらに、この免震装置Ｂは、下側部材４の当接面は平面に形成されており、中央部が僅かに高く周辺が低いテーパ状に形成されているので、例えば、この免震装置Ｂに水や土や土砂、或いはメッキ液などが進入しても排出し易くなっており、中央部まで進入しないので、メッキ液などが転動動部材や下側部材４の中央部を腐食させることがなくなり、従来のように、転動部材６の動作を悪くしたり、転動部材６と側部材４が錆付いて免震機能が働かなることを防止できるものである。【００２９】  また、図７に示す免震装置Ｃは、上部構造物１に固定され内面が凹状の曲面部分が形成された上側部材２と、基礎部材３に支持され内面側が中央部が高く周辺部が低いテーパ状の平面に形成された下側部材４と、前記上側部材２と前記下側部材４との間に介在する球状の転動部材６と、が備えられた免震装置であって、前記上側部材の内面は、前記曲面部分と前記曲面部分２ａに滑らかに接続する平板部分２ｂとから形成されているものである。【００３０】  このように形成された免震装置Ｃは、前述の免震装置Ａや免震装置Ｂと同様に、転動部材６の転動動作により、地震のエネルギーを効果的に吸収できるのものである。この免震装置Ｃは転動部材６は球状に形成されているので、上側部材２および下側部材４との当接面は平面に形成されているので、この免震装置Ｃが１組で左右方向だけでなく、前後方向の揺れに対しても効果を発揮するものである。【００３１】  さらに、この免震装置Ｃは、下側部材４の当接面は平面に形成されており、中央部が僅かに高く周辺が低いテーパ状に形成されているので、例えば、この免震装置Ｃに水や土や土砂、或いはメッキ液などが進入しても排出し易くなっており、中央部まで進入しないので、メッキ液などが転動動部材や下側部材４の中央部を腐食させることがなくなり、従来のように、転動部材６の動作を悪くしたり、転動部材６と側部材４が錆付いて免震機能が働かなることを防止できるものである。
【図面の簡単な説明】
【００３２】
【図１】  図１は本発明に係る免震装置の構造を示す断面図である。
【図２】  図２は図１の免震装置に使用する転動部材を示す斜視図である。
【図３】  図１の免震装置における転動動作を説明する断面図である。
【図４】  図１の免震装置における滑り動作を説明する断面図である。
【図５】  図１の免震装置におけるテーパの効果を示す断面図である。
【図６】  本発明の免震装置の実施例を示す断面図である。
【図７】  本発明の免震装置の実施例を示す断面図である。
【図８】  従来の免震装置の問題点を示す断面図である。
【符号の説明】
【００３３】  Ａ      免震装置
Ｂ      免震装置
Ｃ      免震装置
１      上部構造物
２      上側部材
２ａ    曲面
２ｂ    平板面
３      基礎部材
４      下側部材
４ａ    平板面
５      転動部材
５ａ    曲面
５ｂ    平板面部
５ｃ    周辺部
６      転動部材
【図１】
2006283958.tif 000003
【図２】
2006283958.tif 000004
【図３】
2006283958.tif 000005
【図４】
2006283958.tif 000006
【図５】
2006283958.tif 000007
【図６】
2006283958.tif 000008
【図７】
2006283958.tif 000009
【図８】
2006283958.tif 000010